(57)【要約】【課題】ソーラーパネルの取付性に優れ、耐久性があるソーラーパネル支持構造の提供を目的とする。【解決手段】ソーラーパネルを駆体の側面に傾斜を形成して取り付けるための支持構造であって、側面視で略Ｌ字形状の支持部材と、連結部材とを備え、前記支持部材は、ソーラーパネルを裏面側から支持するためのパネル支持部と、当該パネル支持部の下部を内側に折り曲げ、前記ソーラーパネルの下端側を駆体の側面から外側に張り出すための張出支持部とが略Ｌ字形状に形成され、前記連結部材は、前記ソーラーパネルの下端部を下から支えるように当該ソーラーパネルと前記張出支持部とを連結して、施工性と耐風圧強度を持たせたことに特徴がある。【選択図】  図１
2017005902.tif 000002
【特許請求の範囲】
【請求項１】
ソーラーパネルを駆体の側面に傾斜を形成して取り付けるための支持構造であって、
側面視で略Ｌ字形状の支持部材と、連結部材とを備え、
前記支持部材は、ソーラーパネルを裏面側から支持するためのパネル支持部と、当該パネル支持部の下部を内側に折り曲げ、前記ソーラーパネルの下端側を駆体の側面から外側に張り出すための張出支持部とが略Ｌ字形状に形成され、
前記連結部材は、前記ソーラーパネルの下端部を下から支えるように当該ソーラーパネルと前記張出支持部とを連結するためのものであることを特徴とするソーラーパネル支持構造。
【請求項２】
前記連結部材は、前記張出支持部の下面に連結するための連結部と前記ソーラーパネルの下端部を支持するための支持部とを有することを特徴とする請求項１記載のソーラーパネル支持構造。
【発明の詳細な説明】
【技術分野】
【０００１】
本発明は、ソーラーパネル（太陽光発電パネル）を建築物等の駆体の側面に設置するためのソーラーパネル支持構造に関する。
【背景技術】
【０００２】
ソーラーパネルを建築物の外壁や架台構築物等の駆体側面に取り付ける場合に、発電効率を上げるために太陽光の方位を考慮してソーラーパネルを傾斜させて設置する必要がある。
この場合にソーラーパネルの重量及び風圧等に耐えられ、耐久性のある取付構造が要求される。
例えば特許文献１には、太陽光発電パネルを傾斜させるためのフレーム部材をヒンジ機構にて取り付けた例を示す。
しかし、同公報に示すフレーム構造体は複雑で高価であるため、数多くのソーラーパネルを設置するには実用的ではない。
【先行技術文献】
【特許文献】
【０００３】
【特許文献１】特開２０１４−８４５８７号公報
【発明の概要】
【発明が解決しようとする課題】
【０００４】
本発明は、ソーラーパネルの取付性に優れ、耐久性があるソーラーパネル支持構造の提供を目的とする。
【課題を解決するための手段】
【０００５】
本発明は、ソーラーパネルを駆体の側面に傾斜を形成して取り付けるための支持構造であって、側面視で略Ｌ字形状の支持部材と、連結部材とを備え、前記支持部材は、ソーラーパネルを裏面側から支持するためのパネル支持部と、当該パネル支持部の下部を内側に折り曲げ、前記ソーラーパネルの下端側を駆体の側面から外側に張り出すための張出支持部とが略Ｌ字形状に形成され、前記連結部材は、前記ソーラーパネルの下端部を下から支えるように当該ソーラーパネルと前記張出支持部とを連結するためのものであることを特徴とする。
ここで、連結部材は、前記張出支持部の下面に連結するための連結部と前記ソーラーパネルの下端部を支持するための支持部とを有するのが好ましい。
【発明の効果】
【０００６】
本発明は、構築物を構成する駆体の側面に、ソーラーパネルを傾斜させて取り付ける際に、側面視で略Ｌ字形状の支持部材でこのソーラーパネルを裏面側から支持固定するので、簡単な構造で施工性に優れるとともに、重量のあるソーラーパネルの支持耐久性に優れる。
【図面の簡単な説明】
【０００７】
【図１】ソーラーパネルを本発明に係る支持構造にて支持固定した状態を示す。
【図２】（ａ）は正面側で、（ｂ）はＡ−Ａ線断面図を模式的に示す。
【図３】ソーラーパネルの固定部の上部と下部との部分拡大図を示す。
【図４】（ａ）〜（ｃ）はソーラーパネルの下部側の取付手順を示す。
【図５】ソーラーパネルの支持構造の第２の実施例を示す。
【図６】（ａ）〜（ｃ）は第２の実施例におけるソーラーパネルの下部側の取付手順を示す。
【発明を実施するための形態】
【０００８】
建築物や架台等の構築物に本発明を用いて、ソーラーパネルを取り付ける例を以下図面に基づいて説明する。
【０００９】
図１にソーラーパネル１を駆体の側面に傾斜面を形成するように取り付けた外観斜視図を示し、図２（ｂ）にそのＡ−Ａ線断面図を示す。
その固定部の上部と下部との部分拡大図を図３に示す。
図示を省略した外壁等、駆体の側面に長尺状の上部駆体固定具２０及び下部駆体固定具３０とを平行に連結固定する。
駆体への固定方法は、ボルト，アンカーボルト，溶接等、その手段に制限はない。
図３に示すように上部駆体固定具２０は、ボルト６１等による固定面２１と側面視で略Ｌ字形状の支持部材１１の上端部を取付固定するための取付部２３を有する。
本実施例では、中空部２２を有する中空断面形状からなる形材で製作し、この取付部２３はボルト１６の頭部を横からスライド挿入する開口幅が内部幅より狭い凹部溝構造にした例になっている。
下部駆体固定具３０も形材で製作した例になっており、固定面３１と中空部３２とアリ溝構造の取付部３３を有する。
【００１０】
略Ｌ字形状の支持部材１１は、図２（ｂ）に示すように垂直からの傾斜角θにて傾斜させた傾斜面にてソーラーパネル１を裏面側から支えるパネル支持部１１ａと、このパネル支持部１１ａの下端側を内側方向にＬ字状に折り曲げ形成した張出支持部１１ｂを有する。
パネル支持部１１ａの上端部は、図３に示すようにボルト１６ａの頭部を取付部２３に挿入スライドさせ、このボルト１６ａの先からこのパネル支持部１１ａに設けた取付孔１１ｃを挿通させ、ナット１６ｂにて締結する。
張出支持部１１ｂの内側端部は、取付孔１１ｅを介して下部駆体固定具３０の取付部３３にボルト・ナット締結する。
略Ｌ字形状の支持部材１１の張出支持部１１ｂの長さは、ソーラーパネル１のＨ寸法及び傾斜角θに合せて設定される。
支持部材１１は、図１に示すようにソーラーパネル１の裏面側に複数配置する。
【００１１】
次にこの支持部材１１にソーラーパネルを取り付ける手順を説明する。
ソーラーパネル１の周囲は、枠体２により枠組みされている。
図３，４に示す第１の実施例は、枠体２の下端部及び上端部からそれぞれＬ字状に折り返し、取付凹部２ａを形成した例になっている。
ソーラーパネル１の上部は、図３に示すように支持部材１１の上端部を上部駆体固定具２０に連結するのに用いたボルト１６ａの先から略コ字形状の上部固定具１３を、これに設けた固定孔１３ｃを介して挿通する。
略コ字形状の上部固定具は、断面両端部が固定端１３ａ，１３ｂになっており、一方の固定端１３ｂがナット１６ｂを締め付けることで、枠体２の取付凹部２ａの底部を押圧するようになっている。
【００１２】
上記の上部固定方法に対してソーラーパネル１の下部は、図３，４に示すように略Ｔ字形状の連結部材１２を用いて、ソーラーパネル１を下から支えるように支持部材１１に固定する構造になっている。
従ってソーラーパネル１は、支持部材１１の下部に連結部材１２を固定した図４（ｂ）の状態で上部及び下部を図２の状態に取り付けることになる。
そこで、上部の取付手順は省略し、図４に下部側の取り付け手順を示す。
連結部材１２は、張出支持部１１ｂの下面側に連結固定するための平面状の連結部１２ａと、枠体２の下端部を支持するための支持部１２ｂとを有する。
連結部材１２の連結部１２ａに設けた連結孔１２ｇと、張出支持部１１ｂに設けた連結孔１１ｄとにボルト１５ａを挿入し、ナット１５ｂとを締結する。
連結部材１２は、開口幅が内部幅よりも狭い凹部溝１２ｄを形成し、ボルト１６ａの頭部が横方向から挿入，スライドできる。
ソーラーパネル１の枠体２の下端部を連結部材１２の支持部１２ｂに載置するようにし、略コ字形状の下部固定具１４の固定孔１４ｃをボルト１６ａの先から挿通し、ナット１６ｂと締結すると、下部固定具１４の両端部の固定幅１４ａ，１４ｂのうち、上側の固定幅１４ａが枠体２の取付凹部２ａを連結部材１２に押圧し、固定するようになっている。
【００１３】
本実施例では、必要に応じて上部の上部カバー部材４０と、下部の下部カバー部材５０でソーラーパネル１の上下端部を覆い、さらに図１に示すように左右のサイドカバー部材６０にて覆った例になっているが、これらのカバー部材は必ずしも必要ではないが、カバー部材を装着した場合、耐風圧に対してかなり有効となる。
上部カバー部材４０は形材で製作してあり、下端部４０ａがソーラーパネル１の上部表面に接し、上端部４０ｃが上部駆体固定具２０にビス４１等にて締結されている。
本実施例では、差込み片４０ｂを設け、上部駆体固定具２０に差し込んである。
下部カバー部材５０はパネル状であり、先端部５０ａを枠体２の下側の側面に当接するように取付孔５０ｅ，５０ｆを介してビス５１，５２にて取り付ける例になっている。
【００１４】
図５，６に第２の実施例を示し、第１の実施例との相違点のみ説明する。
本実施例は、ソーラーパネル１の枠体３を支持部材１１側に当接させ、つば部１１３ａ，１１４ａを有する固定具１１３，１１４にて固定する例である。
下端側は図６に示すように、下部固定具１１４に設けたつば部１１４ａを必要に応じて、スペーサー２１４を間に挟むようにソーラーパネル１の下端表面又は枠体表面に接するように、取付孔１１４ｄを連結部材１２に取り付けたボルト１６ａの先から挿通し、ナット１６ｂを締結することになるが、取り付け手順としては、下部固定具１１４の固定端１１４ｂ，１１４ｃが連結部材１２の支持部１２ｂ，１２ｃに当接した状態で、ソーラーパネル１を乗せ、パネル下部を固定する。
上部は図５に示すように、上部固定具１１３に設けた略Ｌ字形状の固定具先端部のつば部１１３ａで、ソーラーパネル１の上部表面を押圧するようにして上部固定具１１３の固定孔１１３ｃをボルト１６ａの先から挿通し、２つめのナット１６ｂを締め付けると、上部固定具１１３のコ字形状の両側の固定端１１３ｂ，１１３ｃがパネル支持部１１ａに当接し、固定される。
【００１５】
このように本発明は固定具の形状、構造をソーラーパネル１の枠体の形状、構造に合せて設定することができる。
【符号の説明】
【００１６】
１        ソーラーパネル
１１      支持部
１１ａ    パネル支持部
１１ｂ    張出支持部
１２      連結部材
１２ａ    連結部
１２ｂ    支持部
１３      上部固定具
１４      下部固定具
２０      上部駆体固定具
３０      下部駆体固定具
４０      上部カバー部材
５０      下部カバー部材
【図１】
2017005902.tif 000003
【図２】
2017005902.tif 000004
【図３】
2017005902.tif 000005
【図４】
2017005902.tif 000006
【図５】
2017005902.tif 000007
【図６】
2017005902.tif 000008